(57)【要約】【課題】印刷指示が印刷媒体に関する予め定められた属性情報を含まない形式を有する場合であっても、当該予め定められた属性情報を有する印刷媒体への印刷を可能とする情報制御装置、印刷システム及びプログラムを提供する。【解決手段】プリントサーバ３は、印刷装置における印刷媒体の供給先を識別する供給先識別情報に、１つ以上の供給先を指定する供給先群を識別する供給先群識別情報と、印刷装置の供給先に応じて割り当てられた印刷媒体の属性を示す属性情報のうち、前記印刷装置に記憶された第１の属性情報と、前記印刷装置の記憶されていない第２の属性情報とを関連付けた関連情報を記憶する記憶手段と、印刷データと印刷条件とを含む印刷指示が前記第２の属性情報を含まない場合に印刷指示及び前記関連情報とに応じて印刷装置に印刷の実行を指示する印刷指示手段３０３とを備える。【選択図】図２
2019096216.tif 000002
【特許請求の範囲】
【請求項１】
印刷装置における印刷媒体の供給先を識別する供給先識別情報に、１つ以上の前記供給先を指定する供給先群を識別する供給先群識別情報と、前記供給先に応じて割り当てられた前記印刷媒体の属性を示す属性情報のうち、前記印刷装置に記憶された第１の属性情報と、前記印刷装置に記憶されていない第２の属性情報とを関連付けた関連情報を記憶する記憶手段と、
印刷データと印刷条件とを含む印刷指示が前記第２の属性情報を含まないとき、前記印刷指示及び前記関連情報に応じて前記印刷装置に印刷の実行を指示する印刷指示手段と
を備える情報制御装置。
【請求項２】
前記印刷装置から前記第１の属性情報を取得する取得手段をさらに備える、
請求項１に記載の情報制御装置。
【請求項３】
前記第１の属性情報は、少なくとも前記印刷媒体のサイズ及び前記印刷媒体の種類を示す情報を含む、
請求項１又は２に記載の情報制御装置。
【請求項４】
前記生成手段は、前記サイズをさらに含む前記印刷指示を生成する、
請求項３に記載の情報制御装置。
【請求項５】
前記第２の属性情報は、予め印刷の順序が指定された順序指定用紙における１組の枚数を示す情報を含む、
請求項１から４のいずれか１項に記載の情報制御装置。
【請求項６】
前記印刷指示手段は、前記印刷媒体の種類が前記順序指定用紙のとき、前記１組の枚数を示す情報に応じて前記印刷装置に対して印刷の実行を指示する、
請求項５に記載の情報制御装置。
【請求項７】
印刷装置と、
前記印刷装置における印刷媒体の供給先を識別する供給先識別情報に、１つ以上の前記供給先を指定する供給先群を識別する供給先群識別情報と、前記供給先に応じて割り当てられた前記印刷媒体の属性を示す属性情報のうち、前記印刷装置に記憶された第１の属性情報と、前記印刷装置に記憶されていない第２の属性情報とを関連付けた関連情報を記憶する記憶手段と、印刷データと印刷条件とを含む印刷指示が前記第２の属性情報を含まないとき、前記印刷指示及び前記関連情報に応じて前記印刷装置に印刷の実行を指示する印刷指示手段とを備える情報制御装置と、
を備える印刷システム。
【請求項８】
印刷装置における印刷媒体の供給先を識別する供給先識別情報に、１つ以上の前記供給先を指定する供給先群を識別する供給先群識別情報と、前記供給先に応じて割り当てられた前記印刷媒体の属性を示す属性情報のうち、前記印刷装置に記憶された第１の属性情報と、前記印刷装置に記憶されていない第２の属性情報とを関連付けた関連情報を記憶する記憶手段を備えたコンピュータを、
印刷データと印刷条件とを含む印刷指示が前記第２の属性情報を含まないとき、前記印刷指示及び前記関連情報とに応じて前記印刷装置に印刷の実行を指示する印刷指示手段、として機能させるプログラム。
【発明の詳細な説明】
【技術分野】
【０００１】
本発明は、情報制御装置、印刷システム及びプログラムに関する。
【背景技術】
【０００２】
近年、複数の給紙先のうち指定された給紙先から給紙する印刷装置が提案されている（例えば、特許文献１参照。）。
【０００３】
特許文献１に記載された印刷装置は、複数のページの所望の位置に挿入される用紙を、給紙部から指定するか、用紙の種類から指定するかの設定を受け付ける受付手段と、前記受付手段において、前記用紙を給紙部から指定すると設定された場合に、ユーザから指定された給紙部にて給紙する用紙の種類が所定の種類の用紙である場合には、当該所定の種類の用紙の詳細情報を設定するための画面を表示し、前記用紙を用紙の種類から指定すると設定された場合に、ユーザから指定された用紙の種類が所定の種類の用紙である場合には、当該指定された所定の用紙の種類を給紙する給紙部と当該指定された所定の種類の用紙の詳細情報とを設定するための画面を表示する表示制御手段とを備える。
【先行技術文献】
【特許文献】
【０００４】
【特許文献１】特開２０１３−１６１３７４号公報
【発明の概要】
【発明が解決しようとする課題】
【０００５】
本発明の課題は、印刷指示が印刷媒体に関する予め定められた属性情報を含まない形式を有する場合であっても、当該予め定められた属性情報を有する印刷媒体への印刷を可能とする情報制御装置、印刷システム及びプログラムを提供することにある。
【課題を解決するための手段】
【０００６】
［１］印刷装置における印刷媒体の供給先を識別する供給先識別情報に、１つ以上の前記供給先を指定する供給先群を識別する供給先群識別情報と、前記供給先に応じて割り当てられた前記印刷媒体の属性を示す属性情報のうち、前記印刷装置に記憶された第１の属性情報と、前記印刷装置に記憶されていない第２の属性情報とを関連付けた関連情報を記憶する記憶手段と、印刷データと印刷条件とを含む印刷指示が前記第２の属性情報を含まないとき、前記印刷指示及び前記関連情報に応じて前記印刷装置に印刷の実行を指示する印刷指示手段とを備える情報制御装置。
［２］前記印刷装置から前記第１の属性情報を取得する取得手段をさらに備える、前記［１］に記載の情報制御装置。
［３］前記第１の属性情報は、少なくとも前記印刷媒体のサイズ及び前記印刷媒体の種類を示す情報を含む、前記［１］又は［２］に記載の情報制御装置。
［４］前記生成手段は、前記サイズをさらに含む前記印刷指示を生成する、前記［３］に記載の情報制御装置。
［５］前記第２の属性情報は、予め印刷の順序が指定された順序指定用紙における１組の枚数を示す情報を含む、前記［１］から［４］のいずれか１つに記載の情報制御装置。
［６］前記印刷指示手段は、前記印刷媒体の種類が前記順序指定用紙のとき、前記１組の枚数を示す情報に応じて前記印刷装置に対して印刷の実行を指示する、前記［５］に記載の情報制御装置。
［７］印刷装置と、前記印刷装置における印刷媒体の供給先を識別する供給先識別情報に、１つ以上の前記供給先を指定する供給先群を識別する供給先群識別情報と、前記供給先に応じて割り当てられた前記印刷媒体の属性を示す属性情報のうち、前記印刷装置に記憶された第１の属性情報と、前記印刷装置に記憶されていない第２の属性情報とを関連付けた関連情報を記憶する記憶手段と、印刷データと印刷条件とを含む印刷指示が前記第２の属性情報を含まないとき、前記印刷指示及び前記関連情報に応じて前記印刷装置に印刷の実行を指示する印刷指示手段とを備える情報制御装置と、を備える印刷システム。
［８］印刷装置における印刷媒体の供給先を識別する供給先識別情報に、１つ以上の前記供給先を指定する供給先群を識別する供給先群識別情報と、前記供給先に応じて割り当てられた前記印刷媒体の属性を示す属性情報のうち、前記印刷装置に記憶された第１の属性情報と 、前記印刷装置に記憶されていない第２の属性情報とを関連付けた関連情報を記憶する記憶手段を備えたコンピュータを、印刷データと印刷条件とを含む印刷指示が前記第２の属性情報を含まないとき、前記印刷指示及び前記関連情報とに応じて前記印刷装置に印刷の実行を指示する印刷指示手段、として機能させるプログラム。
【発明の効果】
【０００７】
請求項１、７、８に係る発明によれば、印刷指示が印刷媒体に関する予め定められた属性情報を含まない形式を有する場合であっても、当該予め定められた属性情報を有する印刷媒体への印刷をすることができる。
請求項２に係る発明によれば、印刷装置に記憶された情報に基づいて印刷媒体の属性情報を取得することができる。
請求項３に係る発明によれば、印刷媒体のサイズ及び印刷媒体の種類と、第２の属性情報とを関連付けることができる。
請求項４に係る発明によれば、印刷媒体のサイズと供給先群識別情報とを含む印刷指示に基づいて印刷を実行することができる。
請求項５に係る発明によれば、第１の属性情報と順序指定用における１組の枚数を示す情報とを関連付けることができる。
請求項６に係る発明によれば、順序印刷用紙に対する印刷が停止した場合であっても、印刷の再開後に順序印刷用紙の印刷順序を間違えずに印刷を継続することができる。
【図面の簡単な説明】
【０００８】
【図１】図１は、本発明の第１の実施の形態に係る印刷システムの構成例を示す図である。
【図２】図２は、プリントサーバの制御系の一例を示すブロック図である。
【図３】図３は、関連情報テーブルの一例を示す図である。
【図４】図４は、クラスターの概念を説明する説明図である。
【図５】図５は、印刷ジョブのデータストリームの一例を示す図である。
【図６】図６は、実施の形態に係るプリントサーバの動作の一例を示すフローチャートである。
【発明を実施するための形態】
【０００９】
以下、本発明の実施の形態について図面を参照して説明する。なお、各図中、実質的に同一の機能を有する構成要素については、同一の符号を付してその重複した説明を省略する。
【００１０】
［実施の形態の要約］
本実施の形態に係る情報制御装置は、印刷装置における印刷媒体の供給先を識別する供給先識別情報に、１つ以上の供給先を指定する供給先群を識別する供給先群識別情報と、供給先に応じて割り当てられた印刷媒体の属性を示す属性情報のうち、印刷装置に記憶された第１の属性情報と、印刷装置に記憶されていない第２の属性情報とを関連付けた関連情報を記憶する記憶手段と、印刷データと印刷条件とを含む印刷指示が第２の属性情報を含まないとき、印刷指示及び関連情報とに応じて印刷装置に印刷の実行を指示する印刷指示手段とを備える。
【００１１】
印刷媒体は、例えば、印刷用の用紙が該当する。印刷媒体の属性情報とは、用紙の属性を示す情報をいう。第１の属性情報は、印刷装置から取得される属性情報をいう。具体的には、第１の属性情報は、印刷装置内に固定的に記憶された情報をいう。ここで、「固定的」とは、印刷指示によって変化しないことをいう。より具体的には、第１の属性情報には、例えば、用紙のサイズ、用紙の色、用紙の材質、紙質等が含まれる。
【００１２】
第２の属性情報は、印刷装置から取得されない属性情報をいう。具体的には、第２の属性情報は、例えば、ユーザにより適宜変更され得る可変的な情報等、印刷装置内に固定的に記憶されていない情報をいう。より具体的には、第２の属性情報には、例えば、インデックス紙などのように予め印刷の順序が指定された用紙（以下、「順序指定用紙」ともいう。）における１組の枚数を示す情報が含まれる。なお、第２の属性情報はこれに限られず、例えば、第１の属性情報として例示した情報であっても印刷装置から取得することができない情報であれば第２の属性情報となり得る。
【００１３】
供給先は、例えば、印刷装置に設けられた給紙用のトレイが該当する。供給先識別情報は、例えば、当該トレイを識別するＩＤが該当する。供給先群（以下の説明では、クラスターともいうことがある。）とは、１つ以上の供給先を１つの供給先としてまとめてグループ化した概念をいう。供給先群識別情報とは、当該供給先群を識別するＩＤが該当する。
【００１４】
印刷指示（印刷ジョブともいう。）は、印刷データ及び印刷条件等を含む情報をいう。給紙先の指定は、例えば印刷ジョブのヘッダで行う場合と、ヘッダに続くデータストリームで行う場合等がある。
【００１５】
［実施の形態］
図１は、本発明の実施の形態に係る印刷システムの構成例を示す図である。この印刷システム１は、印刷処理を行うプリンタ２と、プリンタ２を制御するプリントサーバ３と、プリントサーバ３に接続されたモニタ４Ａ及び入力デバイス４Ｂから構成されたユーザ表示部４と、複数の端末装置としてのパーソナルコンピュータ（ＰＣ）６とを備える。プリンタ２は、印刷装置の一例である。プリントサーバ３は、情報制御装置の一例である。
【００１６】
プリントサーバ３及びＰＣ６は、例えば、インターネット８に接続されたＬＡＮ（ローカル・エリア・ネットワーク）等のネットワーク７によって互いに接続されている。プリンタ２とプリントサーバ３とは、例えば、ＬＡＮや光ケーブル等のネットワーク９を介して接続されている。
【００１７】
プリンタ２は、印刷を行う印刷部２１と、印刷用の用紙を供給する複数の給紙トレイ２５ａ含む給紙部２５とを備え、印刷用の用紙を複数の給紙トレイ２５ａのうち指定された給紙トレイ２５ａに給紙する。なお、プリンタ２は、印刷された用紙に後処理を施す後処理装置を備える構成でもよい。用紙は、印刷媒体の一例である。給紙トレイは、供給先の一例である。
【００１８】
プリントサーバ３は、ネットワーク９を介してプリンタ２に印刷ジョブに従った印刷を行わせるための制御を行う。すなわち、プリントサーバ３は、例えば、印刷ジョブに含まれる印刷データをプリンタ２が処理可能な印刷データに変換する処理を行う。
【００１９】
ユーザ表示部４のモニタ４Ａは、液晶ディスプレイ、有機ＥＬディスプレイ等のディスプレイを用いることができる。また、入力デバイス４Ｂは、マウス、キーボード等を用いることができる。なお、モニタ４Ａは、入力と表示が可能なタッチパネルモニタでもよい。この場合は、入力デバイス４Ｂを省いてもよい。
【００２０】
図２は、プリントサーバ３の制御系の一例を示すブロック図である。プリントサーバ３は、プリンタ制御部３０、記憶部３１、ジョブ制御部３２、画像処理部３３、ビデオＩ／Ｆ（インターフェース）３４、入力Ｉ／Ｆ（インターフェース）３５、ネットワークＩ／Ｆ（インターフェース）３６Ａ、３６Ｂ等を含んで構成されている。
【００２１】
プリンタ制御部３０は、ＣＰＵ（Central Processing Unit）、インターフェース、メモリ等から構成されている。ＣＰＵは、記憶部３１に記憶されているプログラム３１０に従って動作することにより、受付手段３００、取得手段３０１、生成手段３０２、印刷指示手段３０３等として機能する。各手段３００〜３０３の詳細については、後述する。
【００２２】
また、プリンタ制御部３０は、プリンタ２から障害発生時に障害の内容を示す障害情報の通知を受ける。これにより、印刷ジョブは一時停止する。プリンタ２における障害が解消すると、プリンタ制御部３０は、プリンタ２から障害が解消したことを示す解消情報の通知を受ける。
【００２３】
記憶部３１は、ＲＯＭ（Read Only Memory）、ＲＡＭ（Random Access Memory）、ハードディスク等から構成され、プログラム３１０や関連情報テーブル３１１等の各種の情報が記憶されている。記憶部３１は、記憶手段の一例である。なお、本明細書において、テーブルに情報を書き込む場合に「記録」を用い、記憶部３１に情報を書き込む場合に「記憶」を用いる。
【００２４】
図３は、関連情報テーブル３１１の一例を示す図である。図３に示すように、関連情報テーブル３１１には、「トレイ名」欄と、「クラスター名」欄と、「用紙の属性情報」欄と、「ストック情報」欄と、「１組の枚数」欄とが設けられている。
【００２５】
「トレイ名」欄は、プリンタ２の給紙トレイ２５ａを識別する給紙先識別情報としてのトレイの名称が記録されている。「クラスター名」欄には、１つ以上の給紙トレイを指定してグループ化したもの（以下、「クラスター」ともいう。）を識別するクラスター識別情報としてのクラスターの名称が記録されている。クラスターについては、後述する。
【００２６】
「用紙の属性情報」欄には、給紙トレイ２５ａに対応する用紙の属性情報が記録されている。特に、この「用紙の属性情報」には、プリンタ２内から取得することが可能な用紙の属性情報（以下、「第１の属性情報」ともいう。）が記録されている。第１の属性情報には、用紙のサイズ、色、材質、紙質、方向（「ＳＥＦ（Short Edge Feed）」やＬＥＦ（Long Edge Feed））、種類（本書で「種類」とは、「順序指定用紙」か否かに関する情報をいう。以下、順序指定用紙以外の用紙を総称して「普通紙」ともいう。）等が含まれる。第１の属性情報には、坪量に関する情報を含めてもよい。なお、第１の属性情報は必ずしもプリンタ２内から取得されるものではなく、例えばプリンタ２を管理する管理サーバ等を介して間接的に取得されるようになっていてもよい。
【００２７】
「ストック情報」欄には、対応する給紙トレイ２５ａに、給紙の対象となる特定の用紙の属性情報が設定されている状態（以下、「ストック」ともいう。）か否かに関する情報が記録されている。
【００２８】
「１組の枚数」欄には、例えば、予め定められた枚数で１組とする用紙や、予め定められた間隔で特定の形状を有するインデックス紙を含んで１組とする用紙等、順序が指定されて給紙される用紙（以下、「順序指定用紙」ともいう。）の１組の枚数を示す情報が記録されている。「１組の枚数を示す情報」は、第２の属性情報の一例である。
【００２９】
このように、関連情報テーブル３１１には、トレイ名に、クラスター名と、第１の属性情報と、第２の属性情報（すなわち、ここでは１組の枚数を示す情報）とを関連付けた関連情報が記憶されている。
【００３０】
次に、図４を参照して、クラスターについて説明する。図４は、クラスターの概念を説明する説明図である。図４の矢印は、クラスターと、各クラスターに割り当てられた給紙トレイ２５ａとの関係を示している。図４に示すように、１つ以上の給紙トレイ２５ａに対応してクラスターが設定される。例えば、２つの給紙トレイ２５ａ（「トレイ１」及び「トレイ２」）に対応する「ＭＡＩＮ」という名称のクラスターが設定されている。また、２つのトレイ（「トレイ２」及び「トレイ３」）に対応する「ＡＵＸ」という名称のクラスターが設定されている。また、１つの給紙トレイ２５ａ（「トレイ４」）に対応する「ＥＸＴＥＮＤ」という名称のクラスターが設定されている。また、各給紙トレイ２５ａ（「トレイ１」、「トレイ２」、「トレイ３」及び「トレイ４」）には、それぞれ特定の用紙が割り当てられている。
【００３１】
ジョブ制御部３２は、ＰＣ６から印刷ジョブを受信し、プリンタ制御部３０に印刷ジョブの実行を指示する。印刷ジョブは、例えば、ヘッダ情報と、これに続く印刷データとから構成されている。印刷データは、文書データをプリンタ２が解釈可能なページ記述言語（例えば、ＰＤＬ：Page Description Language）で記述したページ単位のデータである。ヘッダ情報は、給紙トレイ、排出先、印刷制御情報等を含む。
【００３２】
受付手段３００は、モニタ４Ａに表示された画面に対する操作を受け付ける。
【００３３】
取得手段３０１は、プリンタ２内に記憶された用紙の属性情報（すなわち、第１の属性情報）を取得する。また、取得手段３０１は、取得した第１の属性情報を記憶部３１の関連情報テーブル３１１に記録する。
【００３４】
生成手段３０２は、印刷ジョブを生成する。図５を参照して、印刷ジョブについて説明する。図５は、印刷ジョブのデータストリームの一例を示す図である。図５に示すように、印刷ジョブのデータストリーム１００は、コマンド文の開始を示す文字「ＤＪＤＥ」で始まるＤＪＤＥコマンド１０１を含む。ＤＪＤＥコマンド１０１は、「ＦＥＥＤ＝」の文字列の後に続くクラスター名を示す情報と、「ＰＡＧＥＳＩＺＥ＝」の文字列の後に続く用紙サイズを示す情報とを含む。すなわち、この生成手段３０２が生成する印刷ジョブは、クラスターの情報と、用紙サイズの情報とを含む。換言すれば、この生成手段３０２が生成する印刷ジョブは、１組の枚数等の順序指定用紙に関する情報を含まない。なお、本実施の形態では、印刷ジョブをプリンタ制御部３０で生成するように説明しているが、これに限られない。例えば、クライアントとして動作するＰＣ６が生成する印刷ジョブ自体にクラスターの情報や用紙サイズの情報などを含むものであってもよい。
【００３５】
印刷指示手段３０３は、生成手段３０２が生成した印刷ジョブに応じてプリンタ２に印刷の実行を指示する。具体的には、印刷指示手段３０３は、印刷ジョブによりクラスターとして指定された１つ以上の給紙トレイ２５ａのうち、印刷ジョブにより指定された用紙サイズが割り当てられた給紙トレイ２５ａを用いる印刷の実行を指示する。
【００３６】
例えば、図５に示す例では、印刷ジョブにより「ＥＸＴＥＮＤ」というクラスターと、用紙サイズとしての「Ａ４」が指定されている。この場合、図４に示す例では、印刷指示手段３０３は、クラスター「ＥＸＴＥＮＤ」を構成する１つの給紙トレイ２５ａ（「トレイ４」）で印刷の実行を指示することになる。
ここで図３の関連情報テーブルを参照すると、「トレイ４」の用紙情報によれば「トレイ４」にはインデックス紙が格納されている。インデックス紙を使用する印刷ジョブでは、当該インデックス紙の一組の枚数情報が必要になる。１組の枚数を超えたりしてインデックス紙を使用すると、インデックス紙としての繰り返し単位が崩れるため、インデックス紙としての機能が果たされなくなるからである。つまり、インデックス紙を使用するときは、１組の枚数以内での使用をプリンタ制御部３０などで管理する必要がある。
【００３７】
そこで、印刷指示手段３０３は、生成手段３０２が生成した印刷ジョブに加えて関連情報テーブル３１１に記録された関連情報をさらに取得してプリンタ２に印刷の実行を指示する。
【００３８】
上述の図５に示す、「ＥＸＴＥＮＤ」という名称のクラスターと用紙サイズとして「Ａ４」とが指定された印刷ジョブを例に説明する。印刷指示手段３０３は、図３に示す関連情報テーブル３１１から、「ＥＸＴＥＮＤ」という名称のクラスターと用紙サイズ「Ａ４」に対応する「トレイ４」にストックが割り当てられている場合、この「トレイ４」のストック情報「ＳＴＯＣＫ（ｉｎｄｅｘ）」に関連付けられた１組の枚数を示す情報を取得する。印刷指示手段３０３は、この１組の枚数を示す情報に基づいて印刷の実行を指示する。
【００３９】
「クラスター」や「ストック」は、いずれもプリンタ２における給紙属性を示す情報ということができる。通常、一つの印刷ジョブの中で複数の給紙属性を混在させることは属性値の競合等によって生じる不具合を回避するため、いずれか一方の給紙属性を使用する。しかし、本発明ではいずれか一方の給紙属性に定義されていない情報を、実施の形態では「クラスター」と「ストック」それぞれが共通に指定している「トレイ」を介して他方の給紙属性から取得するようにしたものである。
【００４０】
（実施の形態の動作）
次に、実施の形態に係る印刷システム１の動作の一例を図６を参照して説明する。図６は、プリントサーバ３の動作の一例を示すフローチャートである。
【００４１】
取得手段３０１は、プリンタ２から送信される、用紙に係る第１の属性情報を取得する（Ｓ１）。次に、取得手段３０１は、プリンタ２から取得した該第１の属性情報を記憶部３１の関連情報テーブル３１１に記録する（Ｓ２）。
【００４２】
次に、ユーザがモニタ４Ａに表示された画面を操作すると、受付手段３００は、モニタ４Ａに表示された画面に対する操作を受け付ける。取得手段３０１は、ユーザの操作に応じて、用紙に係る第２の属性情報（例えば、１組の枚数に関する情報）を記憶部３１の関連情報テーブル３１１に記録する。
【００４３】
生成手段３０２は、ユーザの操作に応じて、クラスターに関する情報及び用紙サイズの情報を含む印刷ジョブ（図５参照）を生成する（Ｓ３）。
【００４４】
次に、印刷指示手段３０３は、生成手段３０２が生成した印刷ジョブに含まれるクラスターに関する情報及び用紙サイズに関する情報を記憶部３１の関連情報テーブル３１１に記録された関連情報と照合し、給紙を指示する給紙トレイ２５ａを特定する（Ｓ４）。
【００４５】
次に、印刷指示手段３０３は、さらに関連情報テーブル３１１を参照して、特定した給紙トレイ２５ａに割り当てられた用紙の種類が順序指定用紙か否かを判定する（Ｓ５）。
【００４６】
特定した給紙トレイ２５ａに割り当てられた用紙の種類が順序指定用紙の場合（Ｓ５：Ｙｅｓ）、特定した給紙トレイ２５ａにストックが割り当てられているか判定する（Ｓ６）。
【００４７】
特定した給紙トレイ２５ａに割り当てられた用紙の種類が順序指定用紙でない場合（Ｓ５：Ｎｏ）、プリンタ２は、通常の処理を継続する。
【００４８】
特定した給紙トレイ２５ａにストックが割り当てられている場合（Ｓ６：Ｙｅｓ）、印刷指示手段３０３は、関連情報テーブル３１１から１組の枚数を示す情報を取得し（Ｓ７）、この１組の枚数を示す情報に基づいてプリンタ２に印刷の実行を指示する。
【００４９】
なお、特定した給紙トレイ２５ａにストックが割り当てられていない場合（Ｓ６：Ｎｏ）、ユーザ表示部４のモニタ４Ａ等にエラーメッセージを表示する（Ｓ９）。
【００５０】
以上のようにすることにより、印刷ジョブが１組の枚数を示す情報等の順序指定用紙の属性情報を含まない場合であっても、プリントサーバ３は、１組の枚数を示す情報に基づいてプリンタ２に対する印刷の制御を行うことが可能となる。これにより、例えば、プリンタ２が順序印刷用紙に対する印刷ジョブを実行中に何らかの理由により印刷が一時停止したとしても、１組の枚数を示す情報に基づいて印刷の制御を行うことにより、印刷の再開後は、後続する印刷の順序を間違えずに印刷を継続することができる。
【００５１】
以上、本発明の実施の形態を説明したが、本発明の実施の形態は上記実施の形態に限定されるものではなく、本発明の要旨を変更しない範囲内で種々の変形、実施が可能である。例えば、プリントサーバ３が有する機能をコントローラとしてプリンタ２が有していてもよい。また、例えば、印刷ジョブは、ＰＣ６からネットワーク７を介して送信されたものであってもよい。
【００５２】
プリントサーバ３のプリンタ制御部３０、ジョブ制御部３２は、それぞれ一部又は全部を再構成可能回路（ＦＰＧＡ：Field Programmable Gate Array）、特定用途向け集積回路（ＡＳＩＣ：Application Specific Integrated Circuit）等のハードウェア回路によって構成してもよい。
【００５３】
また、本発明の要旨を変更しない範囲内で、上記実施の形態の構成要素の一部を省くことや変更することが可能である。また、本発明の要旨を変更しない範囲内で、上記実施の形態のフローにおいて、ステップの追加、削除、変更、入替え等が可能である。また、上記実施の形態で用いたプログラムをＣＤ−ＲＯＭ等のコンピュータ読み取り可能な記録媒体に記録して提供することができる。また、上記実施の形態で用いたプログラムをクラウドサーバ等の外部サーバに格納しておき、ネットワークを介して利用することができる。
【符号の説明】
【００５４】
１…印刷システム、２…プリンタ、３…プリントサーバ、４…ユーザ表示部、４Ａ…モニタ、４Ｂ…入力デバイス、７…ネットワーク、８…インターネット、９…ネットワーク、２１…印刷部、２５…給紙部、２５ａ…給紙トレイ、３０…プリンタ制御部、３１…記憶部、３２…ジョブ制御部、３３…画像処理部、３４…ビデオＩ／Ｆ、３５…入力Ｉ／Ｆ、３６Ａ、３６Ｂ…ネットワークＩ／Ｆ、１００…印刷ジョブ（データストリーム）、１０１…ＤＪＤＥコマンド、３１０…プログラム、３１１…関連情報テーブル、３００…受付手段、３０１…取得手段、３０２…生成手段、３０３…印刷指示手段
【図１】
2019096216.tif 000003
【図２】
2019096216.tif 000004
【図３】
2019096216.tif 000005
【図４】
2019096216.tif 000006
【図５】
2019096216.tif 000007
【図６】
2019096216.tif 000008